(57)【特許請求の範囲】
【請求項１】
被保険者と保険会社との保険の契約にかかわる情報を処理する情報処理装置を備えた生存保険システムであって、
前記生存保険システムは、前記情報処理装置と電気通信可能に接続される前記被保険者側の情報通信端末装置を備え、
前記情報処理装置は、
前記情報通信端末装置との情報の通信を行う通信部と、
生年月日、健康情報、希望保険金額及び希望保険期間、並びに前記被保険者により定められた保険料の上限額である保険料上限情報を含む前記被保険者の基本情報を取得する情報取得部と、
少なくとも前記生年月日及び前記健康情報に対応して定まる生存確率情報に基づいて、前記被保険者の保険料を決定する保険料決定部と、
前記基本情報及び決定された前記保険料を含む被保険者認識情報を格納する格納部と、
前記被保険者認識情報に基づいて、前記保険の契約を成立させる処理をする契約処理部と、
前記被保険者の保険期間が満了したときに、前記被保険者が保険金の支払対象であることを通知する通知部と、
前記通知部の前記通知に対する、前記情報通信端末装置からの生存確認情報に基づいて、前記被保険者の生存を認証する被保険者生存認証部と、
前記被保険者生存認証部による認証結果に基づいて、前記被保険者の保険金受取意思を取得し、保険金支払いの要否を判定する判定部と、
を有し、
前記契約処理部は、前記保険料上限情報が前記保険料決定部で決定された保険料よりも高い場合に契約を自動的に成立させ、
前記契約処理部は、保険契約処理の際に前記被保険者の生体認識情報を契約情報として取得して、前記格納部に格納し、
前記被保険者生存認証部は、前記格納部に格納された前記被保険者の生体認識情報と、前記通知部の前記通知に対する、前記情報通信端末装置からの前記被保険者の生体認識情報とに基づいて、前記被保険者の生存を認証し、
前記情報通信端末装置は前記被保険者が使用している情報通信端末装置であり、
前記情報通信端末装置からの前記被保険者の生体認識情報は、リアルタイムでの生存確認が可能となるように前記被保険者が使用している情報通信端末装置により撮影されるとともに送信された動画像を少なくとも含み、
前記判定部は、前記保険期間満了まで生存した前記被保険者が保険金受取を選択した場合、前記被保険者が自ら前記保険期間満了まで掛けた前記保険金を受け取れるように構成され、
前記判定部は、前記保険期間満了まで生存した前記被保険者が保険金受取を選択しない場合、前記保険金を原資として、前記保険の再契約を行うための再契約処理を行う、生存保険システム。
【請求項２】
前記被保険者側の情報通信端末装置と前記情報処理装置とが、ネットワークを介して通信可能に接続されている、請求項１に記載の生存保険システム。
【請求項３】
前記情報処理装置は、前記保険期間の間に、前記被保険者認識情報の一部を更新する情報更新部を、さらに有する、請求項１又は２に記載の生存保険システム。
【請求項４】
被保険者と保険会社との保険の契約にかかわる情報を処理する情報処理装置であって、
前記情報処理装置は、
情報の通信を行う通信部と、
生年月日、健康情報、希望保険金額及び希望保険期間、並びに前記被保険者により定められた保険料の上限額である保険料上限情報を含む前記被保険者の基本情報を取得する情報取得部と、
少なくとも前記生年月日及び前記健康情報に対応して定まる生存確率情報に基づいて、前記被保険者の保険料を決定する保険料決定部と、
前記基本情報及び決定された前記保険料を含む被保険者認識情報を格納する格納部と、
前記被保険者認識情報に基づいて、前記保険の契約を成立させる処理をする契約処理部と、
前記被保険者の保険期間が満了したときに、前記被保険者が保険金の支払対象であることを通知する通知部と、
前記通知部の前記通知に対応して取得される生存確認情報に基づいて、前記被保険者の生存を認証する被保険者生存認証部と、
前記被保険者生存認証部による認証結果に基づいて、前記被保険者の保険金受取意思を取得し、保険金支払いの要否を判定する判定部と、
を有し、
前記契約処理部は、前記保険料上限情報が前記保険料決定部で決定された保険料よりも高い場合に契約を自動的に成立させ、
前記契約処理部は、保険契約処理の際に前記被保険者の生体認識情報を契約情報として取得して、前記格納部に格納し、
前記被保険者生存認証部は、前記格納部に格納された前記被保険者の生体認識情報と、前記通知部の前記通知に対する、前記被保険者が使用している情報通信端末装置からの前記被保険者の生体認識情報とに基づいて、前記被保険者の生存を認証し、
前記情報通信端末装置からの前記被保険者の生体認識情報は、リアルタイムでの生存確認が可能となるように前記被保険者が使用している情報通信端末装置により撮影されるとともに送信された動画像を少なくとも含み、
前記判定部は、前記保険期間満了まで生存した前記被保険者が保険金受取を選択した場合、前記被保険者が自ら前記保険期間満了まで掛けた前記保険金を受け取れるように構成され、
前記判定部は、前記保険期間満了まで生存した前記被保険者が保険金受取を選択しない場合、前記保険金を原資として、前記保険の再契約を行うための再契約処理を行う、生存保険の契約にかかわる情報処理装置。
【請求項５】
被保険者と保険会社との保険の契約にかかわる情報を処理する情報処理装置の情報処理方法であって、
前記情報処理装置が制御部により行う情報処理方法は、
情報を通信する通信ステップと、
生年月日、健康情報、希望保険金額及び希望保険期間、並びに前記被保険者により定められた保険料の上限額である保険料上限情報を含む前記被保険者の基本情報を取得する情報取得ステップと、
少なくとも前記生年月日及び前記健康情報に対応して定まる生存確率情報に基づいて、前記被保険者の保険料を決定する保険料決定ステップと、
前記基本情報及び決定された前記保険料を含む被保険者認識情報を格納する格納ステップと、
前記被保険者認識情報に基づいて、前記保険の契約を成立させる処理をする契約処理ステップと、
前記被保険者の保険期間が満了したときに、前記被保険者が保険金の支払対象であることを通知する通知ステップと、
前記通知ステップに対応して取得される生存確認情報に基づいて、前記被保険者の生存を認証する被保険者生存認証ステップと、
前記被保険者生存認証ステップにおける認証結果に基づいて、前記被保険者の保険金受取意思を取得し、保険金支払いの要否を判定する判定ステップと、
を有し、
前記契約処理ステップは、前記保険料上限情報が前記保険料決定ステップで決定された保険料よりも高い場合に契約を自動的に成立させ、
前記契約処理ステップにおいて、保険契約処理の際に前記被保険者の生体認識情報を契約情報として取得して格納し、
前記被保険者生存認証ステップにおいて、格納された前記被保険者の生体認識情報と、前記通知ステップに対応して取得される、前記被保険者が使用している情報通信端末装置からの前記被保険者の生体認識情報とに基づいて、前記被保険者の生存を認証し、
前記情報通信端末装置からの前記被保険者の生体認識情報は、リアルタイムでの生存確認が可能となるように前記被保険者が使用している情報通信端末装置により撮影されるとともに送信された動画像を少なくとも含み、
前記判定ステップは、前記保険期間満了まで生存した前記被保険者が保険金受取を選択した場合、前記被保険者が自ら前記保険期間満了まで掛けた前記保険金を受け取れるように構成され、
前記判定ステップは、前記保険期間満了まで生存した前記被保険者が保険金受取を選択しない場合、前記保険金を原資として、前記保険の再契約を行うための再契約処理を行う、生存保険の契約にかかわる情報処理装置の情報処理方法。
【請求項６】
被保険者と保険会社との保険の契約にかかわる情報を処理する情報処理装置のコンピュータに処理を実行させるプログラムであって、
前記プログラムは、
情報を通信する通信ステップと、
生年月日、健康情報、希望保険金額及び希望保険期間、並びに前記被保険者により定められた保険料の上限額である保険料上限情報を含む前記被保険者の基本情報を取得する情報取得ステップと、
少なくとも前記生年月日及び前記健康情報に対応して定まる生存確率情報に基づいて、前記被保険者の保険料を決定する保険料決定ステップと、
前記基本情報及び決定された前記保険料を含む被保険者認識情報を格納する格納ステップと、
前記被保険者認識情報に基づいて、前記保険の契約を成立させる処理をする契約処理ステップと、
前記被保険者の保険期間が満了したときに、前記被保険者が保険金の支払対象であることを通知する通知ステップと、
前記通知ステップに対応して取得される生存確認情報に基づいて、前記被保険者の生存を認証する被保険者生存認証ステップと、
前記被保険者生存認証ステップにおける認証結果に基づいて、前記被保険者の保険金受取意思を取得し、保険金支払いの要否を判定する判定ステップと、
を含む処理を前記コンピュータに実行させ、
前記契約処理ステップは、前記保険料上限情報が前記保険料決定ステップで決定された保険料よりも高い場合に契約を自動的に成立させ、
前記契約処理ステップにおいて、保険契約処理の際に前記被保険者の生体認識情報を契約情報として取得して格納し、
前記被保険者生存認証ステップにおいて、格納された前記被保険者の生体認識情報と、前記通知ステップに対応して取得される、前記被保険者が使用している情報通信端末装置からの前記被保険者の生体認識情報とに基づいて、前記被保険者の生存を認証し、
前記情報通信端末装置からの前記被保険者の生体認識情報は、リアルタイムでの生存確認が可能となるように前記被保険者が使用している情報通信端末装置により撮影されるとともに送信された動画像を少なくとも含み、
前記判定ステップは、前記保険期間満了まで生存した前記被保険者が保険金受取を選択した場合、前記被保険者が自ら前記保険期間満了まで掛けた前記保険金を受け取れるように構成され、
前記判定ステップは、前記保険期間満了まで生存した前記被保険者が保険金受取を選択しない場合、前記保険金を原資として、前記保険の再契約を行うための再契約処理を行う、プログラム。
【発明の詳細な説明】
【技術分野】
【０００１】
本開示は、生存保険システム、情報処理装置、情報処理方法、及びプログラムに関する。
【背景技術】
【０００２】
生命保険は、多種多様の種類が存在する。例えば、特許文献１には、法人を契約者、当該法人の従業員や役員を被保険者とする養老保険等の生死混合保険を主契約または特約とする生命保険契約における、死亡保険金受取人を契約者、満期保険金受取人を被保険者とする生命保険の契約形態が開示されている。しかしながら、死亡保険に関するものであり、生存保険に関する技術ではない。
【先行技術文献】
【特許文献】
【０００３】
【特許文献１】特開２００２−２０７８７８号公報
【発明の概要】
【発明が解決しようとする課題】
【０００４】
本開示の目的は、新規の生存保険システムを提供することである。さらに、本開示の目的は、新規の情報処理装置、新規の情報処理方法、及び新規のプログラムを提供することである。
【課題を解決するための手段】
【０００５】
本開示は、以下の態様を含む。【０００６】
本開示の第１の態様は、
被保険者と保険会社との保険の契約にかかわる情報を処理する情報処理装置を備えた生存保険システムであって、
前記生存保険システムは、前記情報処理装置と電気通信可能に接続される前記被保険者側の情報通信端末装置を備え、
前記情報処理装置は、
前記情報通信端末装置との情報の通信を行う通信部と、
生年月日、健康情報、希望保険金額及び希望保険期間、並びに前記被保険者により定められた保険料の上限額である保険料上限情報を含む前記被保険者の基本情報を取得する情報取得部と、
少なくとも前記生年月日及び前記健康情報に対応して定まる生存確率情報に基づいて、前記被保険者の保険料を決定する保険料決定部と、
前記基本情報及び決定された前記保険料を含む被保険者認識情報を格納する格納部と、
前記被保険者認識情報に基づいて、前記保険の契約を成立させる処理をする契約処理部と、
前記被保険者の保険期間が満了したときに、前記被保険者が保険金の支払対象であること、を通知する通知部と、
前記通知部の前記通知に対する、前記情報通信端末装置からの生存確認情報に基づいて、前記被保険者の生存を認証する被保険者生存認証部と、
前記被保険者生存認証部による認証結果に基づいて、前記被保険者の保険金受取意思を
取得し、保険金支払いの要否を判定する判定部と、
を有し、
前記契約処理部は、前記保険料上限情報が前記保険料決定部で決定された保険料よりも高い場合に契約を自動的に成立させ、
前記契約処理部は、保険契約処理の際に前記被保険者の生体認識情報を契約情報として取得して、前記格納部に格納し、
前記被保険者生存認証部は、前記格納部に格納された前記被保険者の生体認識情報と、前記通知部の前記通知に対する、前記情報通信端末装置からの前記被保険者の生体認識情報とに基づいて、前記被保険者の生存を認証し、
前記情報通信端末装置は前記被保険者が使用している情報通信端末装置であり、
前記情報通信端末装置からの前記被保険者の生体認識情報は、リアルタイムでの生存確認が可能となるように前記被保険者が使用している情報通信端末装置により撮影されるとともに送信された動画像を少なくとも含み、
前記判定部は、前記保険期間満了まで生存した前記被保険者が保険金受取を選択した場合、前記被保険者が自ら前記保険期間満了まで掛けた前記保険金を受け取れるように構成され、
前記判定部は、前記保険期間満了まで生存した前記被保険者が保険金受取を選択しない場合、前記保険金を原資として、前記保険の再契約を行うための再契約処理を行う、生存保険システムである。
【０００７】
本開示の第１の態様の前記生存保険システムにおいて、
前記被保険者側の情報通信端末装置と前記情報処理装置とが、ネットワークを介して通信可能に接続されている、ことが好ましい。
また、本開示の第１の態様の前記生存保険システムにおいて、
前記情報処理装置は、前記保険期間の間に、前記被保険者認識情報の一部を更新する情報更新部を、さらに有することが好ましい。
【０００８】
本開示の第２の態様は、
被保険者と保険会社との保険の契約にかかわる情報を処理する情報処理装置であって、
前記情報処理装置は、
情報の通信を行う通信部と、
生年月日、健康情報、希望保険金額及び希望保険期間、並びに前記被保険者により定められた保険料の上限額である保険料上限情報を含む前記被保険者の基本情報を取得する情報取得部と、
少なくとも前記生年月日及び前記健康情報に対応して定まる生存確率情報に基づいて、前記被保険者の保険料を決定する保険料決定部と、
前記基本情報及び決定された前記保険料を含む被保険者認識情報を格納する格納部と、
前記被保険者認識情報に基づいて、前記保険の契約を成立させる処理をする契約処理部と、
前記被保険者の保険期間が満了したときに、前記被保険者が保険金の支払対象であることを通知する通知部と、
前記通知部の前記通知に対応して取得される生存確認情報に基づいて、前記被保険者の生存を認証する被保険者生存認証部と、
前記被保険者生存認証部による認証結果に基づいて、前記被保険者の保険金受取意思を取得し、保険金支払いの要否を判定する判定部と、
を有し、
前記契約処理部は、前記保険料上限情報が前記保険料決定部で決定された保険料よりも高い場合に契約を自動的に成立させ、
前記契約処理部は、保険契約処理の際に前記被保険者の生体認識情報を契約情報として取得して、前記格納部に格納し、
前記被保険者生存認証部は、前記格納部に格納された前記被保険者の生体認識情報と、前記通知部の前記通知に対する、前記被保険者が使用している情報通信端末装置からの前記被保険者の生体認識情報とに基づいて、前記被保険者の生存を認証し、
前記情報通信端末装置からの前記被保険者の生体認識情報は、リアルタイムでの生存確認が可能となるように前記被保険者が使用している情報通信端末装置により撮影されるとともに送信された動画像を少なくとも含み、
前記判定部は、前記保険期間満了まで生存した前記被保険者が保険金受取を選択した場合、前記被保険者が自ら前記保険期間満了まで掛けた前記保険金を受け取れるように構成され、
前記判定部は、前記保険期間満了まで生存した前記被保険者が保険金受取を選択しない場合、前記保険金を原資として、前記保険の再契約を行うための再契約処理を行う、生存保険の契約にかかわる情報処理装置である。
【０００９】
本開示の第３の態様は、
被保険者と保険会社との保険の契約にかかわる情報を処理する情報処理装置の情報処理方法であって、
前記情報処理装置が制御部により行う情報処理方法は、
情報を通信する通信ステップと、
生年月日、健康情報、希望保険金額及び希望保険期間、並びに前記被保険者により定められた保険料の上限額である保険料上限情報を含む前記被保険者の基本情報を取得する情報取得ステップと、
少なくとも取得した前記生年月日及び前記健康情報に対応して定まる生存確率情報に基づいて、前記被保険者の保険料を決定する保険料決定ステップと、
前記基本情報及び決定された前記保険料を含む被保険者認識情報を格納する格納ステップと、
前記被保険者認識情報に基づいて、前記保険の契約を成立させる処理をする契約処理ステップと、
前記被保険者の保険期間が満了したときに、前記被保険者が保険金の支払対象であることを通知する通知ステップと、
前記通知ステップに対応して取得される生存確認情報に基づいて、前記被保険者の生存を認証する被保険者生存認証ステップと、
前記被保険者生存認証ステップにおける認証結果に基づいて、前記被保険者の保険金受取意思を取得し、保険金支払いの要否を判定する判定ステップと、
を有し、
前記契約処理ステップは、前記保険料上限情報が前記保険料決定ステップで決定された保険料よりも高い場合に契約を自動的に成立させ、
前記契約処理ステップにおいて、保険契約処理の際に前記被保険者の生体認識情報を契約情報として取得して格納し、
前記被保険者生存認証ステップにおいて、格納された前記被保険者の生体認識情報と、前記通知ステップに対応して取得される、前記被保険者が使用している情報通信端末装置からの前記被保険者の生体認識情報とに基づいて、前記被保険者の生存を認証し、
前記情報通信端末装置からの前記被保険者の生体認識情報は、リアルタイムでの生存確認が可能となるように前記被保険者が使用している情報通信端末装置により撮影されるとともに送信された動画像を少なくとも含み、
前記判定ステップは、前記保険期間満了まで生存した前記被保険者が保険金受取を選択した場合、前記被保険者が自ら前記保険期間満了まで掛けた前記保険金を受け取れるように構成され、
前記判定ステップは、前記保険期間満了まで生存した前記被保険者が保険金受取を選択しない場合、前記保険金を原資として、前記保険の再契約を行うための再契約処理を行う、生存保険の契約にかかわる情報処理装置の情報処理方法である。
【００１０】
本開示の第４の態様は、
被保険者と保険会社との保険の契約にかかわる情報を処理する情報処理装置のコンピュータに処理を実行させるプログラムであって、
前記プログラムは、
情報を通信する通信ステップと、
生年月日、健康情報、希望保険金額及び希望保険期間、並びに前記被保険者により定められた保険料の上限額である保険料上限情報を含む前記被保険者の基本情報を取得する情報取得ステップと、
少なくとも前記生年月日及び前記健康情報に対応して定まる生存確率情報に基づいて、前記被保険者の保険料を決定する保険料決定ステップと、
前記基本情報及び決定された前記保険料を含む被保険者認識情報を格納する格納ステップと、
前記被保険者認識情報に基づいて、前記保険の契約を成立させる処理をする契約処理ステップと、
前記被保険者の保険期間が満了したときに、前記被保険者が保険金の支払対象であることを通知する通知ステップと、
前記通知ステップに対応して取得される生存確認情報に基づいて、前記被保険者の生存を認証する被保険者生存認証ステップと、
前記被保険者生存認証ステップにおける認証結果に基づいて、前記被保険者の保険金受取意思を取得し、保険金支払いの要否を判定する判定ステップと、
を含む処理を前記コンピュータに実行させ、
前記契約処理ステップは、前記保険料上限情報が前記保険料決定ステップで決定された保険料よりも高い場合に契約を自動的に成立させ、
前記契約処理ステップにおいて、保険契約処理の際に前記被保険者の生体認識情報を契約情報として取得して格納し、
前記被保険者生存認証ステップにおいて、格納された前記被保険者の生体認識情報と、前記通知ステップに対応して取得される、前記被保険者が使用している情報通信端末装置からの前記被保険者の生体認識情報とに基づいて、前記被保険者の生存を認証し、
前記情報通信端末装置からの前記被保険者の生体認識情報は、リアルタイムでの生存確認が可能となるように前記被保険者が使用している情報通信端末装置により撮影されるとともに送信された動画像を少なくとも含み、
前記判定ステップは、前記保険期間満了まで生存した前記被保険者が保険金受取を選択した場合、前記被保険者が自ら前記保険期間満了まで掛けた前記保険金を受け取れるように構成され、
前記判定ステップは、前記保険期間満了まで生存した前記被保険者が保険金受取を選択しない場合、前記保険金を原資として、前記保険の再契約を行うための再契約処理を行う、プログラムである。
【００１１】
本開示によれば、新規の生存保険システムが提供される。さらに、新規の情報処理装置、新規の情報処理方法、及び新規のプログラムが提供される。
【図面の簡単な説明】
【００１２】
【図１】本開示の実施形態に係る生存保険システムの構成の一例を示す概略図である。
【図２】本開示の実施形態に係る情報処理装置に格納される被保険者認識情報の構成の一例を示すが概念図である。
【図３】本開示の実施形態に係る情報処理における保険契約までの流れの一例を示すフローチャートである。
【図４】本開示の実施形態に係る情報処理における保険金支払いまでの流れの一例を示すフローチャートである。
【図５】本開示の実施形態に係るプログラムが実行されるハードウェア構成の一例を示す概略図である。
【図６】本開示の実施形態に係るプログラムが実行されるハードウェア構成の他の一例を示す概略図である。
【発明を実施するための形態】
【００１３】
生命保険は、分類上の種類として、死亡保険、生存保険、及び生死混合保険の概念が知られている。例えば、死亡保険は、被保険者が死亡したときに支払われる。生死混合保険は、被保険者が一定期間生存したとき、又は保険期間中に被保険者が死亡したときのいずれの場合においても保険金が支払われる。生存保険は、被保険者保険期間の満了まで生存し続けた場合に保険金が支払われる。
【００１４】
従来のよく知られている生命保険では、被保険者が死亡した後に、残された家族又は予め定められた人が受け取る仕組みである死亡保険型が主流となっている。そして、受け取った保険金は、残された家族の生活に役立てられる場合が多い。
【００１５】
しかしながら、生存保険は分類上存在するものの、実用化されている例は知られていない。生存保険は特約を除いて、また、終身保険及び定期保険などの死亡保険型の生命保険では、被保険者が死亡した後に保険金が支払われるため、被保険者が自ら掛けた保険金を受け取ることはできない。一方、養老保険などの生死混合保険型の生命保険では、被保険者が保険期間満了まで生存していれば、保険期間満了後に保険金を受け取れるが、保険期間満了前に死亡した場合では、自ら掛けた保険金を受けて取ることはできない。また、生死混合保険型の生命保険は、被保険者が保険期間満了前に死亡すると、受取人が保険金を受け取る仕組みとなっている。このため、被保険者が死亡した後に受け取るタイプの保険の場合、保険金額によっては、遺産相続に関する係争等が発生することも考えられる。遺産相続に関する係争等が発生した場合は、故人である被保険者が浮かばれないことにもなり得る。さらに、被保険者が死亡した後に受け取るタイプの保険では、保険金支払いについて、人（保険会社の担当者など）の判断が必要になる場合も多く、担当者は約款・医学・法律等の高度な知識と経験を有することが必要であった。
【００１６】
上述のように、死亡保険型及び生死混合保険型の生命保険は、一般的に普及しているものの、純粋な生存保険型の生命保険は実現されていないのが現情である。
【００１７】
これに対し、本開示の新規の生存保険システムによれば、被保険者は、保険期間満了まで生存すれば自ら掛けた保険金を受け取れるため、自らの意思で保険金を使用できる。保険金の使途は、例えば、生きている間にお世話になった人々に対して配ったり、または基金を創立したり、自らの意思にしたがって世の中に貢献する生きたお金の使い方が可能になる。もちろん、自らの老後の資金として役立てることも可能である。
【００１８】
本開示の新規の生存保険システムによれば、自ら定めた保険期間を満了するまで生存することで、被保険者は保険金を受け取る権利を得る。このため、保険期間満了前に死亡した場合には、保険金が支払われず、遺産相続に関する係争等が発生することが抑制される。また、保険金殺人が発生し難いという利点もある。さらに、本開示の新規の生存保険システムは、被保険者が生存していれば保険金の受け取りが可能になるため、保険金の支払いについて、機械的な判断が可能になる。すなわち、高度な知識と経験を有する人の判断を介さずとも、保険金の支払いが決定できるという利点も得られる。
【００１９】
加えて、本開示の新規の生存保険システムによれば、保険金の受け取りが生存中の保険期間満了後であるため、被保険者は、保険金の受け取りまで生存し続けようという、生きる希望が生まれる。また、被保険者は、自ら掛けた保険金を受け取るまで健康であり続けようと努力することにつながるため、健康社会が実現する可能性がある。さらに、本開示の新規の生存保険システムによれば、医療費の削減に寄与し得る。
【００２０】
以下、図面を参照して、本開示に係る生存保険システムの好ましい実施形態の一例について説明する。また、本開示に係る情報処理装置の好ましい実施形態の一例、本開示に係る処理方法の好ましい実施形態の一例、本開示に係るプログラムの好ましい実施形態の一例について説明する。
【００２１】
＜生存保険システムの構成＞
まず、本開示の第１の態様である生存保険システムの好ましい一例について、第２の態様である情報処理装置の好ましい一例と共に説明する。図１は、本開示の実施形態に係る生存保険システムの構成の一例を示す概略図である。図１に示す生存保険システム２００は、被保険者と通信可能な情報処理装置１００を備えている。生存保険システム２００は、被保険者が使用する被保険者側の情報通信端末装置１０２（以下、「被保険者側情報通信端末装置１０２」と称する場合がある）をさらに備えており、情報通信端末装置１０２と情報処理装置１００とがネットワーク１０４を介して、生存保険の契約に関する情報を、互いに通信可能に接続されている。なお、本開示において、被保険者は、保険契約を完了した者だけでなく、保険を契約しようとする者も含む概念である。また、図示しないが、情報処理装置１００は、各種金融機関に係る情報処理装置、医療機関の情報処理装置等がネットワーク１０４を介して接続されていてもよい。さらに、図示しないが、情報処理装置１００は、入力部、出力部等を備えていてもよい。
【００２２】
被保険者側情報通信端末装置１０２は、情報処理装置１００と通信するための端末装置であり、後述する被保険者からの情報（例えば、被保険者の基本情報５２１など）を情報処理装置１００に送信したり、後述する情報処理装置１００からの情報（例えば、通知部３１０からの通知など）などを受信する。情報通信端末装置１０２は、被保険者の情報が通信可能な端末装置であれば、被保険者が操作する端末装置に限られない。単独又は複数の情報通信端末装置１０２が、情報処理装置１００と電気的に接続され、通信可能にされている。各情報通信端末装置１０２と情報処理装置１００は、インターネットを介して各種のサーバ装置との間で通信可能にされていてもよい。また、図１に示すように、保険会社側の情報通信端末装置１０３がネットワーク１０４を介して接続されるように構成されてもよい。情報通信端末装置（１０２，１０３）は、デスクトップ型、ラップトップ型、タブレット型等のパーソナルコンピュータ、スマートフォンなどが挙げられる。
【００２３】
情報処理装置１００は、生存保険の契約に係る処理を行うための情報処理装置である。情報処理装置１００は、例えば、サーバ装置、クラウドシステム等によって構成される。図１に示す情報処理装置１００は、通信部１０と、制御部３０と、格納部５０とを備えている。
通信部１０は、例えば、通信インタフェース（ネットワークインタフェース等） などによって構成される。通信部１０は、ネットワーク１０４と有線又は無線で接続されている。通信部１０では、情報処理装置１００と情報通信端末装置（１０２，１０３）との間の情報の送信又は受信を行い、情報が通信される。
【００２４】
制御部３０は、情報取得部３０２と、保険料決定部３０４と、契約処理部３０６とを有し、契約処理部３０６は、情報更新部３０８を有している。また、制御部３０は、通知部３１０と、被保険者生存認証部３１２と、判定部３１４とを有している。
【００２５】
制御部３０は、集積回路により実現される。制御部３０は、例えば、コントローラである。制御部３０は、ＣＰＵ（中央演算処理装置：Central Processing Unit）、ＭＰＵ（マイクロプロセッサ：Micro-Processing Unit）等によって構成され、制御部３０による制御は、情報処理装置１００に備えられた格納部５０に記憶されている各種プログラムがＲＡＭ（ランダムアクセスメモリ：Random Access Memory）を作業領域として実行されることにより実現される。
【００２６】
情報取得部３０２は、被保険者側情報通信端末装置１０２から送信された被保険者の基本情報５２１を取得する。情報取得部３０２は、取得した被保険者の基本情報５２１に、被保険者を識別するための識別子である被保険者ＩＤを含めて、格納部５０に格納する。被保険者の基本情報５２１は、例えば、被保険者の個人情報（氏名、生年月日、及び被保険者側情報通信端末装置１０２のメールアドレス（通信先情報）など）、健康情報（傷病の有無、傷病内容など）、希望する保険金額である希望保険金額情報、及び希望する保険期間である希望保険期間情報を含む。ここで、保険期間とは、保険契約から満期までの期間を表し、希望保険期間情報は、契約成立希望時期（保険契約の成立を希望する希望日又は保険契約の成立を希望する一定の期間）の情報と、保険契約期間の情報である保険契約期間情報を含む。なお、上述した基本情報５２１は一例であり、必ずしも上述の情報に限定されず、被保険者を特定できる個人情報と、後述する保険料決定部３０４が保険料を決定する際に必要とする情報である保険料決定項目情報（保険年齢又は保険年齢を算出するための生年月日の情報など）と、希望保険金額情報と、希望保険期間情報とが含まれていればよい。
【００２７】
保険料決定部３０４は、被保険者の基本情報５２１及び被保険者の基本情報５２１に対応する生存確率情報５０４（詳細は後述）に基づいて、前記被保険者の保険料を決定する。保険料決定部３０４は、決定した保険料の情報である保険料情報５２３を、基本情報５２１の被保険者ＩＤに対応付けて、格納部５０に格納する。
契約処理部３０６は、基本情報５２１及び前記保険料決定部３０４が決定した保険料に基づいて、保険の契約を処理する。また、契約処理部３０６は、保険契約処理の際に、契約に必要な被保険者の情報を契約情報５２５（詳細は後述）として取得して、基本情報５２１の被保険者ＩＤに対応付けて、格納部５０に格納する。契約情報５２５は、被保険者の生体認識情報を含んでいてもよい。
また、契約処理部３０６は、保険期間の間に、格納部５０に格納した、被保険者の基本情報５２１、保険料情報５２３、及び契約情報５２５を含む被保険者認識情報５０２を更新する情報更新部３０８を有する。情報更新部３０８は、例えば、被保険者の健康情報が改善又は悪化した場合、被保険者の基本情報５２１などを更新する処理を行う。
【００２８】
通知部３１０は、後述する被保険者認識情報５０２に基づいて、被保険者の保険期間が満了したときに、被保険者（被保険者側情報通信端末装置１０２）に保険期間が満了したことを通知する。
被保険者生存認証部３１２は、被保険者側情報通信端末装置１０２から送信された被保険者が生存していることを示す情報である生存確認情報に基づいて、被保険者の生存を認証する。被保険者生存認証部３１２は、被保険者の生存を認証する際に、格納部５０に格納された被保険者の生体認識情報と、通知部３１０の通知に対する、情報通信端末装置１０２からの被保険者の生体認識情報とに基づいて、被保険者の生存を認証するようにしてもよい。
判定部３１４は、被保険者生存認証部３１２による被保険者の生存認証結果に基づいて、被保険者の保険金受取意思を確認し、保険金の支払い要否を判定する。また、判定部３１４は、判定結果に基づいて保険金の支払い手続きを行ってもよいし、支払い手続きは行わず、判定結果を保険会社側の情報通信端末装置１０３に通知するようにしてもよい。
【００２９】
格納部５０は、例えば、ＲＡＭ（ランダムアクセスメモリ）、フラッシュメモリ等の半導体メモリ素子によって構成される。格納部５０は、ハードディスク、光ディスク等の可搬式の記憶装置によって構成されてもよい。
【００３０】
格納部５０は、被保険者認識情報５０２と、生存確率情報５０４が記憶されて格納されている。
生存確率情報５０４は、少なくとも被保険者の保険年齢の情報である保険年齢情報に対応して定まる生存確率を示す情報であり、例えば、行政などにより発表される統計値情報である。保険年齢は保険料を定める基準となる年齢であり、保険年齢情報は、被保険者の生年月日と契約成立希望時期（希望保険期間情報）とから算出される情報である。生存確率情報５０４は、最新の統計値情報に基づいて、例えば、保険会社側の情報通信端末装置１０３などにより、随時更新されていることが好ましい。また、生存確率情報５０４は、後述する診断年齢情報と健康情報に基づいて定まる生存率に関する情報を含んでいてもよい。この生存率に関する情報は、診断年齢情報、健康情報および最新の統計値情報に基づく情報であってもよい。生存確率情報５０４が診断年齢情報と健康情報に基づいて定まる情報である場合、傷病内容によってシミュレーションされて求められる情報であってもよい。なお、格納部５０は、例えば、外部のストレージサーバであってもよく、被保険者認識情報５０２及び生存確率情報５０４の少なくとも一方は、外部のストレージサーバで管理されてもよい。
【００３１】
生存確率情報５０４は、本開示の生存保険契約システムにおいて格納部５０に蓄積されている複数の被保険者の保険年齢情報及び健康情報と、上述の統計値とに基づいて学習される学習済モデルによって登録される生存確率情報であってもよい。学習済モデルは、被保険者生存認証部３１２が過去に生存認証を行った被保険者の被保険者認識情報５０２と、生存認証結果を、学習対象に含めてもよい。例えば、生存確率情報５０４が、学習済モデルにより登録される情報である場合には、モデルに入力される情報である入力情報が入力される入力層と、入力層に入力された入力情報に対して予め定められた処理を順次行う複数の中間層と、複数の中間層のうち最後に処理を行う中間層の出力に基づいて、入力情報に対応する出力情報を生成する出力層とを有するモデルのデータが登録されている形態であってもよい。また、このモデルは、人工知能ソフトウェアの一部であるプログラムモジュールとしての利用が想定されるものであってもよい。例えば、モデルは、ＣＰＵ及びメモリを備えるコンピュータにて用いられる。
【００３２】
被保険者認識情報５０２は、上述の基本情報５２１と、保険料情報５２３と、契約情報５２５とを含んで構成されている。保険料情報５２３は、被保険者の基本情報５２１に対応する生存確率情報５０４に基づいて算出される情報である。契約情報５２５は、被保険者との契約時に、契約処理部３０６が取得する情報である。なお、契約情報５２５及び保険料情報５２３は、基本情報５２１の被保険者ＩＤに対応付けられて、格納部５０に格納される。なお、本開示においては、基本情報５２１と、保険料情報５２３と、契約情報５２５とを対応付ける識別子を、基本情報５２１の被保険者ＩＤとしたが、被保険者に関する各情報を対応付けることができれば、これに限らない。
【００３３】
図２は、本開示の実施形態に係る情報処理装置に格納される被保険者認識情報５０２の構成の一例を示す図である。被保険者認識情報５０２は、図２に示す情報に限定されるものではなく、図２に示す情報以外にも、被保険者に関する情報であれば任意の情報が登録されていてもよい。
【００３４】
図２に示した例では、被保険者認識情報５０２は、被保険者の基本情報５２１として取得した被保険者の氏名、生年月日、通信先情報（メールアドレスなど）、傷病有無、傷病内容、希望保険金額、希望保険期間、及び被保険者ＩＤの他に、例えば、契約時（契約処理部３０６による保険契約処理時）に契約情報５２５として取得する住所、電話番号、ＳＮＳアカウント、金融機関の指定口座番号（保険料引落口座）などの個人情報、保険契約が成立した保険契約日情報、及び被保険者の生年月日と保険契約日情報とから算出される保険年齢情報を含む。被保険者認識情報５０２は格納部５０に格納され、適宜必要な情報が抽出され、様々な処理が行われる。傷病有無及び傷病内容は、上述したように健康情報の一例である。また、契約情報５２５は、保険契約処理を行うときに発行された認証ＩＤを含み、基本情報５２１の被保険者ＩＤとともに被保険者側情報通信端末装置１０２に通知される。さらに、保険契約処理を行うときに取得した生体認証情報を含むことが好ましい。認証ＩＤ及び生体認証情報は、被保険者ＩＤに対応付けられた情報である。なお、上述した契約情報５２５は一例であり、生存保険契約に必要な所定の情報を含んで入ればよい。
【００３５】
認証ＩＤは、被保険者を識別して認証できれば、被保険者認識情報５０２に記憶されていなくてもよい。例えば、被保険者認識情報５０２に記憶されない、トークンベースのＩＤ発行システムであってもよい。トークンベースのＩＤ発行システムとして、制御部３０にトークン発行部を設けてもよい。
生体認証情報は、例えば、指紋、顔認識、虹彩（アイリス）、声紋等が挙げられる。生体認証情報は必要に応じて取得してもよく、被保険者認識情報５０２に記憶されなくてもよい。生存確認がより高精度となり得る観点で、被保険者認識情報は、被保険者の生体認識情報を含んでいることが好ましい。なお、本開示の保険金を受け取る受取人は被保険者であるが、痴呆等やむを得ない理由がある場合には、後見人など、被保険者の代理となる受取人を設定することもできる。ただし、この場合には、受取人が正規の受取人であることを証明する認証情報を格納しておく。
【００３６】
＜生存保険に係る情報処理方法＞
次に、本開示の第３の態様である情報処理方法の好ましい一例について説明する。図３及び図４は、本開示の生存保険の契約に係る情報処理の一例を示しており、保険契約から保険金の支払いまでの流れを２つに分けて表したフローチャートである。図３は、本開示の実施形態に係る情報処理における保険契約までの流れの一例を示すフローチャートである。図４は、本開示の実施形態に係る情報処理における保険金支払いまでの流れの一例を示すフローチャートである。
【００３７】
まず、図３を参照して、保険契約までの流れについて説明する。情報通信端末装置１０２は情報処理装置１００の通信部１０と通信される。情報通信端末装置１０２から入力された被保険者の基本情報５２１は、通信部１０で受信する。受信した基本情報５２１は情報取得部３０２で取得する（Ｓ１０１）。
【００３８】
取得した基本情報５２１に対応する生存確率情報５０４が格納部５０から呼び出され、基本情報５２１に対応する生存確率情報５０４に基づいて、被保険者の保険料が保険料決定部３０４で算出されて、保険料が決定される（Ｓ１０３）。保険料の決定は、生存確率情報５０４に、さらに予定事業費率情報（不図示）に基づいてもよい。
【００３９】
保険料決定部３０４で決定された保険料は、被保険者の保険料情報５２３として、基本情報５２１とともに、格納部５０に格納される（Ｓ１０５）。
【００４０】
情報処理装置１００の通信部１０は情報通信端末装置１０２と通信し、保険料情報５２３を被保険者側情報通信端末装置１０２に送信する（Ｓ１０７）。このとき、被保険者ＩＤ及び認証ＩＤも送信されるとともに、例えば、保険契約重要事項等の情報も送信されてよい。
【００４１】
情報通信端末装置１０２に送信された保険料情報５２３を確認した被保険者は、情報通信端末装置１０２に契約の意思表示を入力する。入力された生存保険契約を行う契約意思表示を含む契約情報が、情報通信端末装置１０２と通信部１０との通信により、情報通信端末装置１０２から情報処理装置１００に送信される。情報処理装置１００は、契約処理部３０６により受信した契約情報に基づいて保険契約の成立処理を行う（Ｓ１０９）。このとき、契約情報には、生体認証情報を含んでいてもよい。契約処理部３０６は、保険契約成立処理として、契約が成立したことを示す契約成立情報を情報通信端末装置１０２に送信し、また、通信部１０に送信された契約情報５２５を被保険者認識情報５０２として、格納部５０に格納する。ここで、被保険者の生体認識情報を取得する場合、契約ステップは、保険契約処理の際に被保険者の生体認識情報を契約情報５２５として取得して、格納するステップを有する。
【００４２】
保険契約までの流れは自動化されていてもよい。例えば、被保険者の基本情報５２１を取得する際に、予め被保険者により定められた保険料の上限額である保険料上限情報を取得し、保険料決定部３０４で決定された保険料との条件が一致していれば、自動的に契約する態様であってもよい。条件が一致するとは、例えば、被保険者の保険料の上限額が、保険料決定部３０４で決定された保険料よりも高い場合などであり、この場合、例えば、契約処理部３０６は、保険料決定部３０４で決定された保険料での契約を自動的に成立させる。
【００４３】
図示しないが、保険期間の間（図４に示すＳ１０９と図５に示すＳ２０１との間）に、被保険者認識情報５０２の一部を更新する情報更新ステップを、さらに有していてもよい。具体的には、情報更新ステップは、被保険者の保険期間中に、基本情報５２１又は契約情報５２５の更新を行ってもよい。更新可能な情報としては、例えば、被保険者の姓、住所、電話番号、メールアドレス、ＳＮＳアカウント、健康情報、保険料を引き落とすための金融機関の指定口座番号等が挙げられる。被保険者の被保険者認識情報５０２が更新される場合は、情報通信端末装置１０２が通信部１０と通信され、情報通信端末装置１０２から更新される更新情報が送信される。送信された更新情報は情報取得部３０２で取得する。情報更新部３０８は、更新情報に含まれる被保険者ＩＤなどの識別子に基づいて、更新情報に対応する基本情報５２１又は契約情報５２５を格納部５０から抽出して更新し、更新した基本情報５２１又は契約情報５２５を被保険者認識情報５０２として、格納部５０に格納する。
【００４４】
保険期間中に、健康情報が更新された場合は、被保険者の診断年齢情報と健康情報に対応付けられた生存確率情報５０４によって、被保険者の翌年以降の保険料が変更されてもよい。ここで、診断年齢情報とは、更新される健康情報（健康診断など）の検査日における被保険者の年齢の情報である。健康情報に更新される健康状態の検査日又は健康診断日などの検査日情報が含まれようにして、診断年齢情報が、検査日情報に基づいて、被保険者の生年月日から算出されてもよい。健康情報の更新は、例えば、被保険者の健康診断情報に基づいて行われる。被保険者は、保険会社と提携する予め定められた医療機関で毎年健康診断を行う。健康診断の結果は、医療機関に備えられた情報通信端末装置（不図示）など、ネットワーク１０４を介して、電気的に通信可能な装置（不図示）に格納されるように構成されている。情報処理装置１００は、被保険者の健康診断情報が格納された図示しない装置とネットワーク１０４で接続され、通信部１０が医療機関の装置と通信して、被保険者の健康診断情報を取得する。情報更新部３０８が、取得した健康診断情報に基づいて、被保険者の健康情報を最新の情報に更新し、保険料決定部３０４が更新された健康情報に基づいて、例えば翌年以降の保険料を算出し、契約処理部３０６が被保険者の翌年以降の保険料を変更する態様であってもよい。例えば、被保険者の健康診断の結果が利用される場合、本開示の生存保険は団体で契約する形態の保険に適用することができる。なお、健康情報の更新による保険料変更については、例えば、保険契約重要事項などにより、契約成立前に被保険者に提示しておく。
【００４５】
次に、図４を参照して、保険契約後、保険金支払いまでの流れについて説明する。
格納部５０に格納されている被保険者認識情報５０２の保険契約日情報および保険契約期間情報に基づいて、通知部３１０は、被保険者の保険期間が満了すると、通信部１０の情報通信端末装置１０２との通信により、保険期間が満了した期間満了情報を送信し、被保険者が保険金支払対象であることを通知する（Ｓ２０１）。被保険者に保険金支払対象であることを通知する手段は、被保険者が使用する情報通信端末装置１０２でもよく、保険会社が使用する情報通信端末装置１０３が受信した情報に基づいて、封書等により郵送する手段で被保険者に送信してもよい。
【００４６】
情報処理装置１００は、期間満了情報を被保険者に通知した後、被保険者の生存を確認するための生存認証を行う。期間満了情報が被保険者に通知されると、被保険者は、例えば、生存していることを示すため、生存を示す情報である生存確認情報として、被保険者固有の情報を情報通信端末装置１０２に入力し、保険会社に送信する。ここで、被保険者固有の情報とは、保険期間満了時に被保険者の生存していたことを認証（確認）できる情報であればよい。被保険者により送信された生存確認情報は、情報処理装置１００の通信部１０に送信され、被保険者生存認証部３１２で被保険者の生存が認証される（Ｓ２０３）。なお、被保険者の生存確認(生存認証)は、期間満了情報を通知した後の被保険者側からの受領通知を取得してから、被保険者生存認証部３１２が被保険者の生存を確認するための生存確認リクエストを送信してもよく、期間満了情報を通知するときに、生存確認リクエストを合わせて送信してもよい。
【００４７】
また、生存認証は、被保険者固有の情報として、生体認証情報を活用してもよい。つまり、被保険者の生存認証は、被保険者の生存を認証する際に、契約情報５２５として格納された被保険者の生体認識情報と、被保険者への期間満了情報の通知に対する、情報通信端末装置１０２からの被保険者の生体認識情報とに基づいて、被保険者の生存を認証するステップを有していてもよい。例えば、被保険者は、受け取った生存確認リクエストに応答するときに、被保険者の生体認証情報を送信する。生体認証情報が予め格納されている被保険者の生体認証情報と一致することにより、被保険者の生存が確認され、被保険者の生存確認が迅速になるとともに、被保険者本人であることの確実性が向上する。これによって保険金の支払いが即座に行うことができる。被保険者の生存確認は、被保険者側の情報通信端末装置に備えられている被保険者側カメラを用いてもよいし、被保険者側の情報通信端末装置に、被保険者側の情報通信端末装置上で操作可能な被保険者側カメラ（例えば、ウェブカメラ）を設け、この被保険者側カメラを活用することにより行ってもよい。例えば、被保険者側カメラにより、生存確認情報として、被保険者の生体認証情報を含む画像（静止画像及び動画像の少なくとも一つ）を撮影し、撮影した画像を、保険者側の情報処理装置に送信し、送信された画像に基づく情報を生存認証に利用する。具体的には、生存確認リクエストを受け取った被保険者は、生存確認情報として、被保険者側の被保険者側カメラにより、被保険者の顔を含む動画像を撮影するとともにネットワークを通じて情報処理装置に送信する。情報処理装置は、送信された動画像から、被保険者の顔認識、虹彩、及び声紋のうちの１つ又は２つ以上の情報を抽出し、この抽出された情報が、予め格納されている被保険者認識情報の一つとしての生体認証情報と一致するか否か判定する。この他、顔を含む動画像だけでなく、指紋を含む手のひらの静止画像も送信させ、この静止画像から静脈情報等を抽出し、前述の動画像から得られた情報と静止画像から抽出される情報の両者を生存認証に活用してもよい。生体認証情報を活用した生存認証では、高精度の生存確認ができるようになる。また、生存確認情報として、被保険者の動画像を送信するように構成することで、リアルタイムで生存確認が可能になるため、正確性かつ迅速性がより確保されやすくなる。
【００４８】
また、例えば、被保険者の健康情報を取得するときに、被保険者本人の自筆の署名も取得しておき、筆跡情報も取得しておく。健康情報の蓄積と共に、筆跡情報を蓄積することで、例えば、人工知能ソフトウェアによって学習させる。人工知能ソフトウェアは、前述のものが挙げられる。これによって、被保険者の筆跡か否かが判断されるため、筆跡情報を生存認証に利用することも可能である。さらに、生体情報と筆跡情報とを組み合わせて生存認証を行ってもよい。もちろん、生体認証情報と公的機関の生存証明書とを組み合わせて生存認証を行ってもよい。なお、筆跡情報は、情報更新部３０８により、契約情報５２５に含まれて格納部５０に格納される。
【００４９】
ここで、被保険者の代理となる受取人が生存確認情報を送信する場合、被保険者の生存確認情報とともに、受取人が正規の受取人であることを証明するための受取人確認情報も送信するようにすればよい。
【００５０】
被保険者の生存確認情報が情報通信端末装置１０２から通信部１０に送信されず、被保険者生存認証部３１２で生存が認証されない場合は、被保険者は生存しないものとみなされて、保険金は支払われず、生存保険の契約が終了する。なお、被保険者の生存が１回目で認証されない場合、被保険者に再度生存確認リクエストを送信するなどの生存認証処理を一定回数繰り返してもよい。繰り返し生存認証処理を経ても被保険者の生存が認証されない場合は、保険金が被保険者に支払われることなく、保険の契約を終了する。
【００５１】
被保険者生存認証部３１２により被保険者の生存が認証されると、判定部３１４は、生存認証結果に基づいて、被保険者の保険金受取意思確認情報を被保険者側の情報通信端末装置１０２に送信する（Ｓ２０５）。保険金受取意思確認情報は、生存確認情報とともに送信されてもよく、生存認証後に別途送信されてもよい。送信された保険金受取意思確認情報に対し、被保険者側の情報通信端末装置１０２から、保険金の受取決定情報、又は保険金の受取保留情報が送信される。
【００５２】
情報処理装置１００が、保険金受取意思情報を取得すると、判定部３１４は、保険金の受取有無を判定する（Ｓ２０７）。被保険者から送信される受取決定情報又は受取保留情報は、生存認証（生存確認情報の送信）と同時又は生存認証後のいずれでもよい。
【００５３】
被保険者が保険金受取を選択した場合は、格納部５０に保存された契約情報５２５に基づいて、金融機関の指定口座に保険金が振り込まれる（Ｓ２０９）。被保険者に保険金が支払われる流れは、自動化されていてもよい。例えば、契約時に被保険者から予め保険金を受け取る意思表示である保険金受取意思情報を取得して、被保険者認識情報５０２の一情報として格納部５０に格納しておき、生存認証後に呼び出した保険金受取意思情報に基づいて、自動的に被保険者に保険金が支払われるように構成してもよい。
【００５４】
判定部３１４は、被保険者が保険金受取を選択しない場合、この保険金を原資として、図４に示す契約フローにしたがって、保険の再契約を行うための再契約処理を行う（Ｓ２１１）。被保険者に保険金が振り込まれる、又は生存保険を再契約することにより、生存保険の一つの契約が終了する。ここで、保険期間が満了する以前に被保険者が死亡した場合は、保険期間満了時に被保険者の生存情報を取得できないため、被保険者の生存が認証できない。このため、保険金は被保険者に支払われることはない。
【００５５】
保険の再契約を行った場合、再契約の保険期間が満了する以前に死亡した場合は、保険期間満了時に生存情報を取得できないため、再契約の保険金だけでなく、最初の契約の保険金を原資とした保険の保険金も被保険者に支払われることはない。
【００５６】
保険期間が満了する前までの間、被保険者の生存情報は、保険料の入金が確認されると、被保険者が生存しているとしてみなしてもよい。ただし、保険金は、保険期間が満了したときに生存していることを条件として支払われるものであるから、本開示に係る生存保険システムでは、保険期間が満期となったときの生存認証は、改めて行う。
【００５７】
上述の生存保険の契約に係る情報処理は、例えば、ブロックチェーン（分散型台帳）上でスマートコントラクトによって実行されていてもよい。本開示に係る生存保険の契約に係る情報処理では、例えば、被保険者、保険会社、各種金融機関、医療機関等の生存保険の契約に係る関係者において、それぞれのコンピュータをブロックチェーンの参加者とすることができる。
【００５８】
そのため、ある関係者のコンピュータは、生存保険の契約に係る情報（例えば、少なくとも一部の被保険者認識情報５０２）をすべての関係者のコンピュータへブロードキャストすることができる。また、生存保険の契約に係る関係者のコンピュータは、生存保険の契約に関する各種情報をブロックチェーン上で共有することができる。さらに、ブロックチェーンの参加者ごとに、少なくとも一部の被保険者認識情報５０２について、閲覧権限を付与することもできる。
【００５９】
本開示に係る生存保険の契約に係る情報処理では、ブロックチェーンに参加しているコンピュータは、情報の条件で定義された条件が満たされた場合に、実行処理で定義された処理を自動的に実行することができる。スマートコントラクトの技術を用いることによって、生存保険の契約に係る情報処理が自動的に実行され得る。
【００６０】
＜ハードウェア構成＞
次に、本開示に係るプログラムの好ましい一例について説明する。上述した実施形態に係る情報処理装置１００は、例えば、図５に示す保険の契約にかかわる情報処理装置のコンピュータ６００に処理を実行させることによって実現される。図５は、本開示の実施形態に係るプログラムが実行されるハードウェア構成の一例を示す概略図である。
【００６１】
図５に示すコンピュータ６００は、出力装置６１０、および入力装置６２０と接続され、演算装置６４０、メモリ装置６６０、記憶装置６８０、出力インタフェース６１２、入力インタフェース６１４、および通信インタフェース６１８が、バス７００により接続されている。
【００６２】
演算装置６４０は、記憶装置６８０に格納されたプログラム６８２、入力装置６２０から読み込まれたプログラム等に基づいて動作し、各種の処理を実行する。メモリ装置６６０は、ＲＡＭ等の不揮発性記憶素子で構成され、演算装置６４０が各種の演算に用いる情報を一次的に記憶する。また、記憶装置６８０は、ハードディスクドライブ、フラッシュメモリ等の不揮発性記憶素子で構成され、演算装置６４０が各種の演算に用いる情報（被保険者認識情報５０２、生存確率情報５０４等）が記憶される。
【００６３】
出力インタフェース６１２は、ディスプレイ等の画像表示装置、プリンタ等の画像形成装置など情報を出力する出力装置６１０に対し、出力対象となる情報を送信するためのインタフェースである。出力インタフェース６１２は、例えば、ユニバーサルシリアルバス（ＵＳＢ）、デジタルビジュアルインタフェース（ＤＶＩ）等のコネクタによって構成される。入力インタフェース６１４は、マウス、キーボード、タッチパネル及びスキャナ等の入力装置６２０から情報を受信するためのインタフェースである。入力インタフェース６１４は、例えば、ＵＳＢ等によって構成される。
【００６４】
入力装置６２０は、例えば、光学記録媒体、光磁気記録媒体、磁気記録媒体、及び半導体記録媒体の少なくとも１種から構成されている。具体的には、これら記録媒体は、コンパクトディスク、ディジタルビデオディスク等が挙げられる。入力装置６２０は、これら記録媒体から情報を読み出す装置であってもよい。また、入力装置６２０は、ＵＳＢメモリ等の外付け型の記憶媒体であってもよい。
【００６５】
通信インタフェース６１８は、ネットワーク１０４を介して通信する処理を担う。通信インタフェース６１８は、ネットワーク１０４に接続された他の装置から情報を受信する。受信した情報は演算装置６４０へ送られ、演算装置６４０が生成した情報をネットワーク１０４に接続された他の装置へ送信する。通信インタフェース６１８は、例えば、ハードウェア、ファームウェア、通信用ソフトウェア等によって構成される。
【００６６】
演算装置６４０は、出力インタフェース６１２、入力インタフェース６１４を介して、出力装置６１０、入力装置６２０等の制御を行う。例えば、演算装置６４０は、入力装置６２０及び記憶装置の少なくとも一方からプログラムをメモリ装置６６０に読み出し、読み出したプログラムを実行する。
【００６７】
例えば、コンピュータ６００が情報処理装置１００として機能する場合、コンピュータ６００の演算装置６４０は、メモリ装置６６０に読み出されたプログラムを実行する。これにより、制御部３０の機能が実現される。
【００６８】
図６は、本開示の実施形態に係るプログラムが実行されるハードウェア構成の他の一例を示す概略図である。図６に示すコンピュータ８００は、演算装置８４０、メモリ装置８６０、記憶装置８８０、および通信インタフェース８１８が、バス９００により接続されている。コンピュータ８００は、図５に示すコンピュータ６００のうち、出力インタフェース６１２、入力インタフェース６１４、出力装置６１０、入力装置６２０を備えていないこと以外は、動作を含めて同じである。
【００６９】
以上、本開示の実施形態の好ましい一例について説明したが、具体的な構成は、これらに限られず、本開示の要旨を逸脱しない範囲で種々の変更が可能である。
【符号の説明】
【００７０】
１０…通信部、３０…制御部、５０…格納部、１００…情報処置装置、１０２…情報通信端末装置（被保険者側）、１０３…情報通信端末装置（保険会社側）、１０４…ネットワーク、３０２…情報取得部、３０４…保険料決定部、３０６…契約処理部、３０８…情報更新部、３１０…通知部、３１２…被保険者生存認証部、３１４…判定部、５０２…被保険者認識情報、５２１…基本情報、５２３…保険料情報、５２５…契約情報、５０４…生存確率情報、６８２，８８２…プログラム
【要約】
生存保険システムは、情報通信端末装置との情報の通信を行う通信部と、被保険者の基本情報を取得する情報取得部と、取得した基本情報の少なくとも１つ以上に対応して定まる生存確率情報に基づいて、被保険者の保険料を決定する保険料決定部と、基本情報及び保険料を含む被保険者認識情報を格納する格納部と、被保険者認識情報に基づいて、保険の契約を成立させる処理をする契約処理部と、被保険者の保険期間が満了したときに、被保険者が保険金の支払対象であることを通知する通知部と、通知部の通知に対する、情報通信端末装置からの生存確認情報に基づいて、被保険者の生存を認証する被保険者生存認証部と、被保険者生存認証部による認証結果に基づいて、被保険者の保険金受取意思を取得し、保険金支払いの要否を判定する判定部と、を有する情報処理装置を備える。【図１】
0006841467.tif 000002
【図２】
0006841467.tif 000003
【図３】
0006841467.tif 000004
【図４】
0006841467.tif 000005
【図５】
0006841467.tif 000006
【図６】
0006841467.tif 000007